(57)【特許請求の範囲】
【請求項１】
液晶層を挟んで相対峙する第１の基板および第２の基板と、
前記第１の基板に設けられた第１の電極と、
前記第２の基板に設けられた第２の電極と、
前記第２の基板に設けられ、光を反射する反射部と該反射部よりも光の透過率が大きい開口部を有し、かつ前記第１の電極と前記第２の電極が平面的に重なり合う各画素部に前記反射部と前記開口部がそれぞれ配置された反射板と、
前記第２の基板に対して前記第１の基板の反対側に設けられた補助光源と、
前記反射板と前記補助光源の間に設けられ、前記反射板の開口部と平面的に重なり合う領域に配置され、かつ前記反射板の反射部と平面的に重なり合う領域には配置されない部分偏光部材と、
前記第１の基板の、前記反射板の開口部と平面的に重なり合う領域に配置され、かつ前記反射板の反射部と平面的に重なり合う領域には配置されない第２の部分偏光部材と、
を備えることを特徴とする液晶表示装置。
【請求項２】
前記部分偏光部材は、前記第２の基板の、前記液晶層と反対側の面に設けられていることを特徴とする請求項１に記載の液晶表示装置。
【請求項３】
前記部分偏光部材は、前記第２の基板の、前記液晶層側の面に設けられていることを特徴とする請求項１に記載の液晶表示装置。
【請求項４】
前記補助光源は、光を前記第２の基板側へ反射する反射部材を有することを特徴とする請求項１〜３のいずれか一つに記載の液晶表示装置。
【請求項５】
前記反射板と前記補助光源の間に、前記反射板の開口部に光を集める光学部材が設けられていることを特徴とする請求項１〜４のいずれか一つに記載の液晶表示装置。
【請求項６】
前記反射板と前記補助光源の間に、光を拡散する拡散層が設けられていることを特徴とする請求項１〜５のいずれか一つに記載の液晶表示装置。
【請求項７】
前記光学部材は、前記第２の基板に接着されていることを特徴とする請求項６に記載の液晶表示装置。
【請求項８】
前記光学部材と前記第２の基板を接着している接着層は、前記拡散層を兼ねることを特徴とする請求項７に記載の液晶表示装置。
【請求項９】
前記反射板の開口部に前記第２の電極として透明電極が設けられており、該透明電極は、前記反射板に電気的に接続されていることを特徴とする請求項１〜８のいずれか一つに記載の液晶表示装置。
【請求項１０】
前記反射板と前記補助光源との間に、透過偏光軸と該透過偏光軸にほぼ直交する反射偏光軸を有する反射型偏光板が設けられており、該反射型偏光板の透過偏光軸は、前記部分偏光部材の透過偏光軸とほぼ平行であることを特徴とする請求項１〜９のいずれか一つに記載の液晶表示装置。
【請求項１１】
前記部分偏光部材は、偏光板であることを特徴とする請求項１〜１０のいずれか一つに記載の液晶表示装置。
【請求項１２】
前記部分偏光部材は、偏光性高分子膜であることを特徴とする請求項１〜１０のいずれか一つに記載の液晶表示装置。
【請求項１３】
前記部分偏光部材は、導電体と絶縁体が繰り返し配置されたグリッド型偏光部材であることを特徴とする請求項１〜１０のいずれか一つに記載の液晶表示装置。
【請求項１４】
前記部分偏光部材は、反射型偏光板であることを特徴とする請求項１〜１０のいずれか一つに記載の液晶表示装置。
【請求項１５】
前記反射板の少なくとも反射部の表面は、凹凸状になっていることを特徴とする請求項１〜１４のいずれか一つに記載の液晶表示装置。
【請求項１６】
前記第１の基板および前記第２の基板の少なくとも一方の基板に、前記第１の電極または前記第２の電極に接続するスイッチング素子が設けられていることを特徴とする請求項１〜１５のいずれか一つに記載の液晶表示装置。
【請求項１７】
前記スイッチング素子は、前記反射板の反射部と平面的に重なる領域に設けられていることを特徴とする請求項１６に記載の液晶表示装置。
【請求項１８】
前記反射板よりも前記液晶層側に、前記反射板の反射部と平面的に重なり合う領域に配置され、かつ前記反射板の開口部と平面的に重なり合う領域には配置されない部分位相差板がさらに設けられていることを特徴とする請求項１〜１７のいずれか一つに記載の液晶表示装置。
【請求項１９】
色の着いた着色部と前記着色部よりも薄い色かまたは無色の開口部を有するカラーフィルターをさらに有し、前記反射板の開口部と平面的に重なり合う領域には前記カラーフィルターの着色部が配置され、前記反射板の反射部と平面的に重なり合う領域には前記カラーフィルターの着色部と開口部が配置されていることを特徴とする請求項１〜１８のいずれか一つに記載の液晶表示装置。
【請求項２０】
液晶層を挟んで相対峙する第３の基板および第４の基板と、前記第３の基板に設けられた第３の電極と、前記第４の基板に設けられた第４の電極を備え、前記第３の電極と前記第４の電極が平面的に重なり合う領域を画素部とする第２の液晶表示素子が、前記補助光源を挟んで前記第２の基板の反対側に設けられていることを特徴とする請求項１〜１９のいずれか一つに記載の液晶表示装置。
【発明の詳細な説明】
【技術分野】
【０００１】
この発明は、反射型と透過型のいずれにも利用可能な液晶表示装置に関する。
【背景技術】
【０００２】
一般に、小型情報機器などには、液晶自体には発光機能がなく、装置に内蔵する光源からの光を利用して表示を行う透過型液晶表示装置が用いられている。透過型液晶表示装置の他には、外部からの光を利用して表示を行う反射型液晶表示装置や、透過型と反射型の両方の機能を併せ持つ半透過反射型液晶表示装置などが用いられている。
【０００３】
半透過反射型液晶表示装置では、透過率の小さい反射部と透過率の大きい開口部を有する反射板が、液晶層を挟む一対の基板のうちの一方の基板の、液晶層側の面に形成される。そして、反射型として表示を行う場合には、反射板の反射部の反射特性を利用し、外部から液晶表示素子内に入射した光の反射光を利用する。透過型として表示を行う場合には、装置内の光源から発せられ、反射板の開口部を通過した光を利用する。図２２に、従来の半透過反射型液晶表示装置の断面図を示す。図２２を参照しながら、従来の半透過反射型液晶表示装置の構成について説明する。
【０００４】
第１の基板１と第２の基板５の間には、液晶層１８が封入されている。第１の基板１の、液晶層側の面には、透明導電膜からなる第１の電極２と配向膜２７が設けられている。第２の基板５の、液晶層側の面には、アルミニウム膜からなる反射部を有する反射板２１が設けられている。反射板２１には開口部２２が設けられており、この開口部２２における光の透過率は、反射板２１の開口部２２を除くアルミニウム膜部分、すなわち反射部の光の透過率よりも大きい。反射板２１は、開口部２２の部分も含んで、アクリル樹脂からなる絶縁膜２３により覆われている。さらに、この絶縁膜２３の表面には、透明導電膜からなる第２の電極６と配向膜２８が設けられている。第１の電極２と第２の電極６とが平面的に重なり合う部分が画素部であり、各画素部に反射板の反射部と開口部がそれぞれ設けられている。
【０００５】
第１の基板１と第２の基板５とは、所定の間隙をあけてシール材１６により貼り合わされている。そして、第１の基板１、第２の基板５およびシール材１６により囲まれる空間は、液晶層１８が注入された状態で、図示しない封孔材により封止されている。第１の基板１の観察者側の面、すなわち液晶層１８と反対側の面には、上偏光板３１が設けられている。また、第２の基板５の、液晶層１８と反対側の面には、位相差板３４が設けられている。位相差板３４の表面には、下偏光板４５が設けられている。位相差板３４と下偏光板４５とは、図示しない透明な粘着材により接着されている。
【０００６】
下偏光板４５の下側には、補助光源として、バックライト反射板４２を有するバックライト４１が設けられている。バックライト４１からの出射光は、反射板２１の開口部２２へ直接入射し、液晶層１８等を通過して観察者側に出射する第１の透過光５５と、反射板２１の反射部での反射とバックライト４１もしくはバックライト反射板４２での反射を繰り返して開口部２２に到達し、その開口部２２を通り、液晶層１８等を通過して観察者側に出射する第２の透過光５６となる。
【０００７】
第２の透過光５６となる光は、反射板２１の反射部とバックライト反射板４２の間で反射を繰り返す際、その都度、下偏光板４５を通過し、下偏光板４５で少しずつ吸収される。そのため、第２の透過光５６となる光の、反射板２１の反射部およびバックライト反射板４２での反射強度が徐々に低下し、第２の透過光５６として観察者側に出射する際には、弱い光になってしまう。一方、外部からの入射光５１は、液晶層１８等を通過し、反射板２１の反射部で反射した後、再び液晶層１８等を通過し、反射光５２として観察者側に出射する。
【０００８】
ところで、半透過反射型液晶表示装置において、バックライトから発せられた光が観察者側へ出射する際の効率を改善するために、下偏光板とバックライトの間に反射型偏光板を設け、この反射型偏光板の透過偏光軸と下偏光板の透過偏光軸とを平行に配置することによって、光の利用効率を改善する試みがある（例えば、特許文献１参照。）。バックライトから発せられた光のうち、反射型偏光板の反射偏光軸に入射する光は、反射型偏光板で反射してバックライトへ戻り、続いてバックライトで偏光解消と反射が起こり、再び反射型偏光板側に出射する。
【０００９】
反射型偏光板の透過偏光軸に平行な光の一部は、反射板の開口部より直接出射する。また、反射板の反射部に入射した光は、反射板の反射部で反射型偏光板側に反射し、続いて反射型偏光板で反射する。このように、反射型偏光板とバックライトのそれぞれで反射した光が合わさって観察者側へ出射することによって、観察者側への出射光量が増加し、明るい表示が得られる。
【００１０】
また、半透過反射型液晶表示装置の反射光および透過光の明るさを向上するために、第２の基板の液晶層側に偏光板（内在型偏光板）を設けるという偏光板内在型の透過型液晶表示装置が提案されている（例えば、特許文献２参照。）。また、金属反射膜に複数の微細なスリット状の開口部を設けた反射偏光層を有する液晶表示装置が提案されている（例えば、特許文献３参照。）。
【００１１】
【特許文献１】特表平０９−５０６９８４号公報
【特許文献２】特開２００３−３０２６２８号公報（第３頁、第７図）
【特許文献３】特開２００３−２２８０５９号公報（第２、３頁）
【発明の開示】
【発明が解決しようとする課題】
【００１２】
しかしながら、上記特許文献１に開示された構成には、小型携帯機器として重要な薄型化および軽量化にとって好ましくないという欠点や、コストの増大を招くという欠点がある。また、反射型偏光板と吸収偏光軸の透過偏光軸を揃えて積層する必要があるため、両偏光板間のゴミや異物により歩留りが低下するおそれがある。さらに、反射型偏光板の偏光度の面内バラツキ、特に、可視光領域での偏光度のバラツキにより、色味が変化するという問題がある。この色味の変化は、表示の色味が変化するという問題を引き起こす。
【００１３】
開口部を有する反射板を用いる場合でも、バックライト側に設けられる第２の基板に吸収型偏光板と反射型偏光板をこの順番で積層するため、コストの増大を招く。また、積層時のゴミの発生や、吸収型偏光板による光の吸収によるロスの発生という問題点がある。さらに、バックライトに偏光解消機能と反射機能を設ける必要があるため、バックライトの構成に自由度がないという問題や、機能追加によるコストの増大や性能の低下が起こるという問題がある。一方、上記特許文献２に開示された構成には、内在型偏光板の設定位置や、他の構成要素との組み合わせに関して、多くの改善すべき問題が残されている。
【００１４】
この発明は、上述した従来技術による問題点を解消するため、半透過反射型液晶表示装置の、特に透過表示の明るさを改善することができる液晶表示装置を提供することを目的とする。また、この発明は、半透過反射型液晶表示装置の透過表示の明るさを改善することによって、透過光が通る反射板の開口部を小さくし、それによって反射表示の明るさを改善することができる液晶表示装置を提供することを目的とする。
【００１５】
さらに、この発明は、半透過反射型液晶表示装置の反射表示の明るさを改善することによって、補助光源を点灯して使用する透過表示状態の使用割合を減らし、それによって補助光源で消費する電力を低減することができる液晶表示装置を提供することを目的とする。また、半透過反射型液晶表示装置の透過表示の明るさを改善し、補助光源が低光量であっても視認性を向上させることによって、補助光源で消費する電力を低減することができる液晶表示装置を提供することを目的とする。
【課題を解決するための手段】
【００１６】
上述した課題を解決し、目的を達成するため、請求項１の発明にかかる液晶表示装置は、液晶層を挟んで相対峙する第１の基板および第２の基板と、前記第１の基板に設けられた第１の電極と、前記第２の基板に設けられた第２の電極と、前記第２の基板に設けられ、光を反射する反射部と該反射部よりも光の透過率が大きい開口部を有し、かつ前記第１の電極と前記第２の電極が平面的に重なり合う各画素部に前記反射部と前記開口部がそれぞれ配置された反射板と、前記第２の基板に対して前記第１の基板の反対側に設けられた補助光源と、前記反射板と前記補助光源の間に設けられ、前記反射板の開口部と平面的に重なり合う領域に配置され、かつ前記反射板の反射部と平面的に重なり合う領域には配置されない部分偏光部材と、前記第１の基板の、前記反射板の開口部と平面的に重なり合う領域に配置され、かつ前記反射板の反射部と平面的に重なり合う領域には配置されない第２の部分偏光部材と、を備えることを特徴とする。
【００１７】
また、請求項２の発明にかかる液晶表示装置は、請求項１に記載の発明において、前記部分偏光部材は、前記第２の基板の、前記液晶層と反対側の面に設けられていることを特徴とする。
【００１８】
また、請求項３の発明にかかる液晶表示装置は、請求項１に記載の発明において、前記部分偏光部材は、前記第２の基板の、前記液晶層側の面に設けられていることを特徴とする。
【００１９】
また、請求項４の発明にかかる液晶表示装置は、請求項１〜３のいずれか一つに記載の発明において、前記補助光源は、光を前記第２の基板側へ反射する反射部材を有することを特徴とする。
【００２０】
また、請求項５の発明にかかる液晶表示装置は、請求項１〜４のいずれか一つに記載の発明において、前記反射板と前記補助光源の間に、前記反射板の開口部に光を集める光学部材が設けられていることを特徴とする。
【００２１】
また、請求項６の発明にかかる液晶表示装置は、請求項１〜５のいずれか一つに記載の発明において、前記反射板と前記補助光源の間に、光を拡散する拡散層が設けられていることを特徴とする。
【００２２】
また、請求項７の発明にかかる液晶表示装置は、請求項６に記載の発明において、前記光学部材は、前記第２の基板に接着されていることを特徴とする。
【００２３】
また、請求項８の発明にかかる液晶表示装置は、請求項７に記載の発明において、前記光学部材と前記第２の基板を接着している接着層は、前記拡散層を兼ねることを特徴とする。
【００２４】
また、請求項９の発明にかかる液晶表示装置は、請求項１〜８のいずれか一つに記載の発明において、前記反射板の開口部に前記第２の電極として透明電極が設けられており、該透明電極は、前記反射板に電気的に接続されていることを特徴とする。
【００２５】
また、請求項１０の発明にかかる液晶表示装置は、請求項１〜９のいずれか一つに記載の発明において、前記反射板と前記補助光源との間に、透過偏光軸と該透過偏光軸にほぼ直交する反射偏光軸を有する反射型偏光板が設けられており、該反射型偏光板の透過偏光軸は、前記部分偏光部材の透過偏光軸とほぼ平行であることを特徴とする。
【００２６】
また、請求項１１の発明にかかる液晶表示装置は、請求項１〜１０のいずれか一つに記載の発明において、前記部分偏光部材は、偏光板であることを特徴とする。
【００２７】
また、請求項１２の発明にかかる液晶表示装置は、請求項１〜１０のいずれか一つに記載の発明において、前記部分偏光部材は、偏光性高分子膜であることを特徴とする。
【００２８】
また、請求項１３の発明にかかる液晶表示装置は、請求項１〜１０のいずれか一つに記載の発明において、前記部分偏光部材は、導電体と絶縁体が繰り返し配置されたグリッド型偏光部材であることを特徴とする。
【００２９】
また、請求項１４の発明にかかる液晶表示装置は、請求項１〜１０のいずれか一つに記載の発明において、前記部分偏光部材は、反射型偏光板であることを特徴とする。
【００３０】
また、請求項１５の発明にかかる液晶表示装置は、請求項１〜１４のいずれか一つに記載の発明において、前記反射板の少なくとも反射部の表面は、凹凸状になっていることを特徴とする。
【００３１】
また、請求項１６の発明にかかる液晶表示装置は、請求項１〜１５のいずれか一つに記載の発明において、前記第１の基板および前記第２の基板の少なくとも一方の基板に、前記第１の電極または前記第２の電極に接続するスイッチング素子が設けられていることを特徴とする。
【００３２】
また、請求項１７の発明にかかる液晶表示装置は、請求項１６に記載の発明において、前記スイッチング素子は、前記反射板の反射部と平面的に重なる領域に設けられていることを特徴とする。
【００３４】
また、請求項１８の発明にかかる液晶表示装置は、請求項１〜１７のいずれか一つに記載の発明において、前記反射板よりも前記液晶層側に、前記反射板の反射部と平面的に重なり合う領域に配置され、かつ前記反射板の開口部と平面的に重なり合う領域には配置されない部分位相差板がさらに設けられていることを特徴とする。
【００３５】
また、請求項１９の発明にかかる液晶表示装置は、請求項１〜１８のいずれか一つに記載の発明において、色の着いた着色部と前記着色部よりも薄い色かまたは無色の開口部を有するカラーフィルターをさらに有し、前記反射板の開口部と平面的に重なり合う領域には前記カラーフィルターの着色部が配置され、前記反射板の反射部と平面的に重なり合う領域には前記カラーフィルターの着色部と開口部が配置されていることを特徴とする。
【００３６】
また、請求項２０の発明にかかる液晶表示装置は、請求項１〜１９のいずれか一つに記載の発明において、液晶層を挟んで相対峙する第３の基板および第４の基板と、前記第３の基板に設けられた第３の電極と、前記第４の基板に設けられた第４の電極を備え、前記
第３の電極と前記第４の電極が平面的に重なり合う領域を画素部とする第２の液晶表示素子が、前記補助光源を挟んで前記第２の基板の反対側に設けられていることを特徴とする。
【００３８】
本発明によれば、透過表示の際に、補助光源からの出射光の一部は、部分偏光部材を通って観察者側に出射する。補助光源からの出射光の残りは、部分偏光部材を通らずに、反射板の反射部で反射されて補助光源側に戻り、補助光源の反射部材で反射されて再び液晶表示素子側に出射する。この反射板での反射と補助光源の反射部材での反射の光ロス（吸収）が小さいので、反射板の開口部から観察者側に効率良く光が出射し、明るい透過表示が得られる。
【００３９】
本発明によれば、光学部材により集光することによって、より多くの光を反射板の開口部に通すことができるので、補助光源からの出射光を極めて有効に利用することができる。従って、より一層、明るい透過表示が得られる。
【００４０】
本発明によれば、反射板の反射部で反射した光が補助光源または補助光源の反射部材で反射した後、再び反射板の開口部に至る割合を増加させることができる。また、反射板の開口部を通った光に散乱性を付与することができる。さらに、反射板の反射部で反射して補助光源側に戻る光に散乱性を付与することができるので、反射板の反射部から補助光源側に戻り、補助光源または補助光源の反射部材で反射した光が反射板の開口部から出射する比率を大きくすることができる。
【００４１】
本発明によれば、第２の基板と空気との界面での反射や、光学部材と空気との界面での反射を防止することができるので、光を有効に第２の基板側に出射させることができ、明るい表示が可能となる。また、本発明によれば、反射板の反射部で反射した光が拡散しながら補助光源側に戻るので、反射板の反射部から補助光源側に戻り、補助光源または補助光源の反射部材で反射して反射板の開口部を通る光を多くすることができる。
【００４２】
本発明によれば、観察者側からスイッチング素子が見えることがない。また、本発明によれば、反射板の開口部を通る光は、その開口部に配置された部分偏光部材を通り、さらに第２の部分偏光部材を通って観察者側に出射するので、その出射光の偏光度が大きくなる。従って、コントラストの高い透過表示が得られる。また、外部からの入射光は、第２の部分偏光部材を通らずに観察者側に出射するので、明るい反射表示が得られる。
【００４３】
本発明によれば、部分位相差板を設けずに、液晶層だけで位相差を生じさせる構成に比べて、より明るい明表示とより暗い暗表示が得られる。従って、コントラストの高い反射表示が得られる。また、本発明によれば、補助光源からの光は、カラーフィルターの着色部を通って観察者側に出射するので、その着色部の色を濃くしておくことによって、色の濃い透過表示が得られる。反射表示の場合には、カラーフィルターの着色部を通って観察者側に出射する光と、カラーフィルターの着色部を通らずに、開口部を通って観察者側に出射する光があるので、明るい反射表示が得られる。
【００４４】
本発明によれば、補助光源を挟んで第１の液晶表示素子と第２の液晶表示素子が配置され、第１の液晶表示素子および第２の液晶表示素子のいずれも、反射部と開口部を有する反射板と、その反射板の開口部に部分偏光部材を有することによって、それぞれの反射板の開口部に集中的に光を出射させることができるので、明るい表示が可能となる。また、部分偏光部材が局所的に設けられているので、ほとんどの光を吸収することなく、補助光源側へ光を戻し、再度補助光源側からそれぞれの反射板の開口部へ光を反射させることが可能となる。
【発明の効果】
【００４５】
本発明にかかる液晶表示装置によれば、明るい透過表示が得られる。それによって、透過光が通る反射板の開口部を小さくすることができるので、明るい反射表示が得られる。反射表示が明るいことによって、補助光源を点灯して使用する透過表示状態の使用割合を減らすことができるので、補助光源で消費する電力を低減することができる。また、補助光源の光量を低くしても透過表示の視認性がよいので、補助光源で消費する電力を低減することができる。
【発明を実施するための最良の形態】
【００４６】
以下に添付図面を参照して、この発明にかかる液晶表示装置の好適な実施の形態を詳細に説明する。なおすべての添付図面において同様の構成には同一の符号を付して重複する説明を省略する。
【００４７】
本発明では、開口部付きの反射板と補助光源の間に偏光部材が設けられる。その偏光部材は、各画素部において、反射板の開口部と平面的に重なり合う部分に設けられ、かつ反射板の反射部と平面的に重なり合う部分には設けられない。ここで、平面的に重なり合うとは、液晶表示装置を観察者側から見たときに重なることを意味する。
【００４８】
この部分的な偏光部材は、第２の基板に対して液晶層側に配置されていてもよいし、液晶層と反対側に配置されていてもよい。このように、反射板と補助光源の間に偏光部材を備えることによって、補助光源から発せられた光のうち、反射板の開口部を直接透過しない光が反射板と補助光源の反射板の間で反射を繰り返した後、反射板の開口部から出射するので、透過型として表示を行う場合により明るく表示される。
【００４９】
実施の形態１．
図１は、実施の形態１の液晶表示装置の構成を示す平面図である。図２は、図１の切断線Ａ−Ａで切断した液晶表示装置の構成を示す断面図である。図１および図２に示すように、第１の基板１と第２の基板５は、所定の間隙をあけてシール材１６により貼り合わされている。そして、第１の基板１、第２の基板５およびシール材１６により囲まれ、封孔材１７により封止された空間には、液晶層１８が封入されている。
【００５０】
第１の電極２は、第１の基板１の、液晶層側の面に形成されている。この第１の電極２の表面は、配向膜２７により覆われている。上偏光板３１は、第１の基板１の、液晶層１８と反対側の面に設けられている。反射板２１は、第２の基板５の、液晶層側の面に設けられている。反射板２１には、反射部と、この反射部よりも光の透過率が大きい開口部２２が設けられている。反射板２１（開口部２２を含む）は、絶縁膜２３により覆われている。第２の電極６は、この絶縁膜２３の表面に形成されている。絶縁膜２３および第２の電極６の表面は、配向膜２８により覆われている。
【００５１】
位相差板３４は、第２の基板５の、液晶層１８と反対側の面に、表示領域の全面にわたって設けられている。位相差板３４の表面、すなわち液晶層１８と反対側の面には、部分偏光部材３５が部分的に設けられている。部分偏光部材３５は、反射板２１の開口部２２と平面的に重なり合う領域に配置されている。部分偏光部材３５は、反射板２１の反射部と平面的に重なり合う領域（図２に両矢印の線で示すＲの領域）には設けられない。
【００５２】
部分偏光部材３５の下側には、補助光源であるバックライト４１と反射部材であるバックライト反射板４２を有するバックライトユニットが設けられている。バックライト４１は、例えば第２の基板５側より、１枚または複数枚を積層したプリズム形状の表面を有するシート、拡散シートおよび導光板からなる。反射板２１の反射部からバックライト４１側に反射する光は、拡散シートにより所定の角度に散乱するので、バックライト４１の出射光を所定の領域に出射させることができる。
【００５３】
なお、バックライト４１とバックライト反射板４２の間に拡散部材を設けてもよい。あるいは、バックライト反射板４２として、拡散性を有する反射部材、例えば表面に凹凸のある機能部材上に反射膜を形成したものを用いてもよい。この場合には、バックライト４１と液晶表示素子の間の光拡散性を重要視する必要がなくなるので、バックライト４１を透過表示の明るさに特化して設計することができる。また、バックライトユニットを導光板と光源を用いた構成としてもよいし、バックライトユニットとして有機ＥＬ光源を利用してもよい。有機ＥＬ光源は、薄型平面光源であるという利点と、電極をパターン形成することにより一部分のみの表示も可能であるという利点を有する。
【００５４】
次に、部分偏光部材３５の具体的な構成や製造方法を幾つか説明する。例えば、部分偏光部材３５の製造方法として、ＯＰＴＩＶＡ社のＴＣＦ商品を用い、位相差板３４の全面に偏光層を形成した後、エッチングによりその偏光層の、反射板２１の開口部２２に対応する部分を残し、他の部分を除去するようにしてもよい。あるいは、位相差板３４の表面にＴＣＦ商品をパターン印刷してもよい。
【００５５】
また、部分偏光部材３５を偏光性高分子膜などで構成してもよい。ここで、偏光性高分子膜とは、水溶性のリオトロピック液晶染料材料やサーモトロピック高分子液晶を主体とする液晶材料を用いて分子膜を生成することにより得られる膜のことである。あるいは、ヨウ素を高分子膜に含有させ、その高分子膜を一方向に圧延した後に位相差板３４の表面に転写する方法でもよい。
【００５６】
また、部分偏光部材３５として、図３に示すようなグリッド型の偏光部材を用いてもよい。この場合、位相差板３４の全面にアルミニウム、銀またはそれらと他の金属との合金からなる導電体の薄膜を形成し、エッチングにより反射板２１の開口部２２に対応する領域に細線の導電体よりなるスリット９５を形成すればよい。導電性薄膜が除去された部分（スリット９５以外の部分）では位相差板３４が露出するので、導電体と絶縁体とが繰り返し設けられたグリッド型の偏光部材が得られる。特に限定しないが、例えばスリット幅９６は、１５０〜２５０ｎｍであるのが適当である。また、スリット間ギャップ９７は、５０〜１００ｎｍであるのが適当である。
【００５７】
補助光源からの光は、円偏光または楕円偏光であるが、説明を簡単にするため、図３において、スリット９５と直交する偏光成分の光を光線Ａで示し、スリット９５と平行する偏光成分の光を光線Ｂで示す。光線Ａは、スリット９５のギャップを通過し、直線偏光となる。光線Ｂは、スリット９５で反射される。そのため、補助光源から出射した光の中からスリット９５と直交する直線偏光成分の光を取り出すことができる。従って、補助光源から出射した光のうちのおおよそ半分は、バックライト側に反射されるので、光をさらに有効に利用することができる。
【００５８】
また、位相差板３４の、反射板２１の開口部２２に対応する部分にのみ粘着材を印刷して設け、その上に一般に市販されているフィルム状の偏光板を載せ、偏光板を型抜きすることによって、部分偏光部材３５を配置してもよい。その際、偏光板として反射型偏光板を用いてもよい。反射型偏光板を用いた場合には、上述した細線状のスリット９５よりなるグリッド型偏光部材と同様、一方の偏光軸は透過偏光軸であり、それにほぼ直交する偏光軸は反射偏光軸であるため、反射偏光軸の光が効率よくバックライトユニット側に出射されるので、効率がよい。
【００５９】
次に、実施の形態１の作用について説明する。外部環境が明るい場合には、反射板２１の反射部を利用する。つまり、入射光５１は、上偏光板３１と液晶層１８を通過して反射板２１の反射部に至り、そこで反射され、再び液晶層１８と上偏光板３１を通過し、上偏光板３１と液晶層１８の光学特性により反射光５２として観察者側に出射する。反射板２１の反射部での反射強度の強弱を利用して表示される。
【００６０】
外部環境が暗い場合には、バックライト４１から発せられた光を部分偏光部材３５と液晶層１８と上偏光板３１により光学変調することによって表示を行う。バックライト４１から出射した第１の透過光５５は、部分偏光部材３５により偏光され、続いて位相差板３４により位相変調された後、反射板２１の開口部２２に直接入射し、液晶層１８により光学変調され、上偏光板３１を通過して、観察者側に出射する。
【００６１】
バックライト４１から出射した第２の透過光５６は、部分偏光板３５を通らずに、位相差板３４を通過して反射板２１の反射部に達する。反射板２１の反射部で反射された光は、ほとんど吸収されずに、バックライト４１側へ戻る。この反射光は、部分偏光部材３５のない領域Ｒを通過するので、ほとんど吸収されずにバックライト４１に入射する。バックライト４１に入射した光は、バックライト反射板４２で反射され、再びバックライト４１から出射する。
【００６２】
再びバックライト４１から出射した光のうち、部分偏光部材３５に入射した光は、反射板２１の開口部２２を通って第２の透過光５６として観察者側に出射する。このように、反射板２１の反射部とバックライト反射板４２の間で反射を繰り返しているうちに部分偏光部材３５に入射した光が観察者側に出射するので、効率よく出射光が出射される。従って、実施の形態１によれば、バックライト４１から発せられた光が観察者側へ出射する際の効率が向上し、明るい透過表示が得られる。
【００６３】
明るい透過表示が得られることによって、透過光５５，５６が通る反射板２１の開口部２２を小さくすることができるので、明るい反射表示が得られる。反射表示が明るいことによって、バックライト４１を点灯して使用する透過表示状態の使用割合を減らすことができるので、バックライト４１で消費する電力を低減することができる。また、バックライト４１の光量を低くしても透過表示の視認性がよいので、バックライト４１で消費する電力を低減することができる。
【００６４】
さらに、部分偏光部材３５が第２の基板５の外側に設けられていることによって、部分偏光部材３５の上に電極やカラーフィルターを作り込む必要がない。従って、部分偏光部材３５の材料が特定のものに限定されないので、部分偏光部材３５を容易に作製することができる。例えば、部分偏光部材３５としてフィルム状のものを用いる場合には、上述したように容易に部分偏光部材３５を形成することができる。ただし、部分偏光部材３５が液晶層１８から少し離れていることによって光の回り込みが発生しやすくなるため、好ましくは、部分偏光部材３５を反射板２１の開口部２２よりもやや大きめに形成するとよい。
【００６５】
実施の形態２．
図４は、実施の形態２の液晶表示装置の構成を示す断面図であり、図１の切断線Ａ−Ａに相当する切断面の構成を示している。実施の形態２は、実施の形態１の部分偏光部材３５に代えて、第２の基板５の液晶層側の面に内在型の部分偏光部材３６を設けたものである。部分偏光部材３６は、反射板２１の開口部２２と平面的に重なり合う領域に配置されている。部分偏光部材３６は、反射板２１の反射部と平面的に重なり合う領域（図４に両矢印の線で示すＲの領域）には設けられない。
【００６６】
また、第１のカラーフィルター６１，６２，６３と第２のカラーフィルター６５が設けられている。第２のカラーフィルター６５は、部分偏光部材３６の表面に積層されている。つまり、第２のカラーフィルター６５は、反射板２１の開口部２２と平面的に重なり合う領域にのみ配置されている。好ましくは、第２のカラーフィルター６５と部分偏光部材３６の外形が同じであるとよい。その理由は、製造プロセスにおいて、第２のカラーフィルター６５と部分偏光部材３６を、同一のマスクを用いてエッチングすることにより、同時に形成することができるので、製造工程が簡略化され、製造コストを低減することができるからである。
【００６７】
第１のカラーフィルター６１，６２，６３は、反射板２１の反射部の表面および第２のカラーフィルター６５の表面に積層されている。つまり、反射板２１の反射部に対しては、１層の第１のカラーフィルター６１，６２，６３が配置されているのに対して、反射板２１の開口部２２に対しては、カラーフィルターは、第１のカラーフィルター６１，６２，６３と第２のカラーフィルター６５の２層構造となっている。
【００６８】
これは、反射表示の場合、入射光５１が反射板２１の反射部で反射して観察者側に出射するまで、第１のカラーフィルター６１，６２，６３を２回通過するので、明るく、見やすい表示が得られるのに対して、透過表示の場合に第２のカラーフィルター６５がないとしたら、補助光源からの透過光５５，５６は第１のカラーフィルター６１，６２，６３を１回しか通過しないことになり、充分な彩度が得られないからである。この不都合を回避するため、第２のカラーフィルター６５が設けられている。
【００６９】
すなわち、補助光源からの透過光５５，５６が第２のカラーフィルター６５と第１のカラーフィルター６１，６２，６３を通過することによって、充分な彩度の透過表示が得られるようになっている。第２のカラーフィルター６５の色純度は、他の部分のカラーフィルターよりも改善されている。反射板２１、第１のカラーフィルター６１，６２，６３および第２のカラーフィルター６５は、絶縁膜２３により覆われている。この絶縁膜２３の厚さは、反射板２１の反射部上の部分と開口部２２における部分とで異なっている。
【００７０】
これは、特に限定しないが、例えば、波長λが５３０ナノメートルの光に対して、反射板２１の反射部に対応する領域では、Δｎｄがλ／４（１３２．５ナノメートル）となるように、液晶層１８の厚さを２．２μｍとし、反射板２１の開口部２２に対応する領域では、Δｎｄがλ／２（２６５ナノメートル）となるように、液晶層１８の厚さを４．４μｍとするためである。このようにすると、液晶層１８と部分偏光部材３６の間に位相差板を設けなくても、透過表示のコントラスト比を良好にすることが可能となり、さらに、白表示の色味も良好となる。また、反射表示のコントラスト比も良好となる。従って、実施の形態２では、第２の基板５の、液晶層１８と反対側の面には、位相差板が設けられていない。その他の構成は、実施の形態１と同じである。
【００７１】
次に、実施の形態２の作用について説明する。外部環境が明るい場合には、実施の形態１と同様に、反射板２１の反射部を利用し、第１の入射光５１は、上偏光板３１と液晶層１８の光学特性により反射光５２として観察者側に出射する。外部環境が暗い場合には、バックライト４１から発せられた光を部分偏光部材３６と液晶層１８と上偏光板３１により光学変調することによって表示を行う。バックライト４１から出射した第１の透過光５５は、部分偏光部材３６に直接入射し、液晶層１８により光学変調され、上偏光板３１を通過して、観察者側に出射する。
【００７２】
バックライト４１から出射した第２の透過光５６のうち、部分偏光部材３６のない領域Ｒを通過した光は、反射板２１の反射部に達する。反射板２１の反射部で反射された光は、ほとんど吸収されずに、バックライト４１側へ戻る。この反射光は、部分偏光部材３６を通過していないので、ほとんど吸収されずにバックライト４１に入射する。バックライト４１に入射した光は、バックライト反射板４２で反射され、再びバックライト４１から出射する。
【００７３】
再びバックライト４１から出射した光のうち、部分偏光部材３６に入射した光は、反射板２１の開口部２２を通って第２の透過光５６として観察者側に出射する。このように、反射板２１の反射部とバックライト反射板４２の間で反射を繰り返しているうちに部分偏光部材３６に入射した光が観察者側に出射するので、効率よく出射光が出射される。従って、実施の形態２によれば、バックライト４１から発せられた光が観察者側へ出射する際の効率が向上する。
【００７４】
また、実施の形態１と比べて部分偏光部材３６と液晶層１８の距離が近いので、部分偏光部材３６への光の回り込みが少なくなる。従って、部分偏光部材３６を小さくすることができる。ただし、部分偏光部材３６の上に反射板２１やカラーフィルター６１，６２，６３，６５などを作り込む必要がある。そのため、部分偏光部材３６の材料を選定するにあたって、反射板２１やカラーフィルター６１，６２，６３，６５などを製造する工程での耐熱性や耐薬品性等を考慮する必要がある。
【００７５】
また、部分偏光部材３６を通過しない光が観察者側に出射するのを防ぐことができるので、透過表示のコントラストを改善することができる。さらに、透過光５５，５６が第１のカラーフィルター６１，６２，６３と第２のカラーフィルター６５を通過するので、透過表示の色純度を改善することができる。また反射板２１の反射部上には第１のカラーフィルター６１，６２，６３のみが設けられているので、反射表示時の明るさの減少を防ぐことができる。さらに、第２のカラーフィルター６５により、部分偏光部材３６の劣化が防止されている。
【００７６】
実施の形態３．
図５は、実施の形態３の液晶表示装置の構成を示す断面図であり、図１の切断線Ａ−Ａに相当する切断面の構成を示している。実施の形態３は、実施の形態１の絶縁膜２３、反射板２１および第２の電極６に代えて、それぞれ表面が凹凸状で、かつ開口部を有する絶縁膜２４、この絶縁膜２４の上に設けられていることによって反射部の表面が凹凸状をなす反射板２５、および第２の電極として例えば酸化インジウムスズ（ＩＴＯ）膜からなる透過下部電極２６を設けたものである。
【００７７】
絶縁膜２４の開口部は、反射板２５の開口部２２と同じ位置に設けられている。透過下部電極２６は、反射板２５の開口部２２を覆うように形成されており、反射板２５に電気的に接続されている。その他の構成は、実施の形態１と同じである。なお、図５においては、絶縁膜２４、反射板２５および透過下部電極２６を覆う配向膜が省略されている（図６〜図１３においても同じ）。
【００７８】
実施の形態３では、反射板２５の反射部の表面が凹凸状をなすことによって、バックライト４１から出射した光が反射板２５の開口部２２の位置に反射されやすい。また、バックライト４１から出射した光を、反射板２５の反射部で種々の角度の反射光として反射させてバックライト４１側に出射させることができる。従って、より明るい反射表示が得られるとともに、透過表示の明るさを著しく改善することができる。
【００７９】
実施の形態４．
図６は、実施の形態４の液晶表示装置の構成を示す断面図であり、図２と同様の切断面の構成を示している。実施の形態４は、実施の形態３の部分偏光部材３５に代えて、第２の基板５の液晶層側の面に実施の形態２と同様の内在型の部分偏光部材３６を設けたものである。部分偏光部材３６は、反射板２５の開口部２２と平面的に重なり合う領域に配置されている。
【００８０】
部分偏光部材３６は、反射板２５の反射部と平面的に重なり合う領域（図６に両矢印の線で示すＲの領域）には設けられない。実施の形態４では、第２の基板５の、液晶層１８と反対側の面には、位相差板が設けられていない。その他の構成は、実施の形態３と同じである。
【００８１】
実施の形態４によれば、実施の形態３と同様に、より明るい反射表示が得られるとともに、透過表示の明るさを著しく改善することができるという効果が得られる。また、部分偏光部材３６を液晶層側に配置したことによって液晶層１８との距離が近くなるので、部分偏光部材３６への光の回り込みが少なくなり、部分偏光部材３６を小さくすることができるという効果や、部分偏光部材３６を通過しない光が観察者側に出射するのを防ぐことができるので、透過表示のコントラストを改善することができるという効果が得られる。
【００８２】
実施の形態５．
図７は、実施の形態５の液晶表示装置の構成を示す断面図であり、図１の切断線Ａ−Ａに相当する切断面の構成を示している。実施の形態５は、実施の形態４において、第２の基板５とバックライト４１の間に、ドーム状の凹部４８を有する光学部材３７を、その凹部４８が観察者側、すなわち第２の基板５に臨んで開口するように設けたものである。光学部材３７は、その凹部４８が反射板２５の開口部２２と平面的に重なるように配置されている。その他の構成は、実施の形態４と同じである。
【００８３】
なお、第２の基板５と光学部材３７は、図７に示すように離れていてもよいし、接着されていてもよい。特に、光学部材３７の凹部４８を除く平坦な部分が第２の基板５に接着されていれば、バックライト４１から出射し、反射板２５の反射部で反射された光をバックライト４１側に有効に戻すことができるので、好ましい。また、図示例では、光学部材３７がバックライト４１から離れているが、これらを接着してもよい。
【００８４】
実施の形態５では、バックライト４１から出射し、光学部材３７の凹部４８を通過する第１の透過光５５は、その凹部４８により反射板２５の開口部２２に集光し、その開口部２２を通過して観察者側に出射する。バックライト４１から出射し、光学部材３７の凹部４８を通過しないため、集光しない光５８，５９は、反射板２５の反射部で反射する。反射板２５の反射部で反射された光は、バックライト４１側へ戻り、バックライト４１またはバックライト反射板４２で反射され、再びバックライト４１から出射する。
【００８５】
再びバックライト４１から出射した光のうち、光学部材３７の凹部４８を通過する光は、集光されて反射板２５の開口部２２を通り、第２の透過光５６として観察者側に出射する。このように、反射板２５の反射部とバックライト反射板４２の間で反射を繰り返しているうちに光学部材３７の凹部４８に入射した光が集光されて観察者側に出射するので、極めて効率よく出射光が出射される。従って、実施の形態５によれば、バックライト４１から発せられた光を極めて有効に利用することができるので、明るい透過表示が得られる。
【００８６】
実施の形態６．
図８は、実施の形態６の液晶表示装置の構成を示す断面図であり、図１の切断線Ａ−Ａに相当する切断面の構成を示している。実施の形態６は、実施の形態５のバックライト４１とバックライト反射板４２からなるバックライトユニットに代えて、ライトエミッティングダイオード（ＬＥＤ）素子からなる光源部４３と導光板４４とバックライト反射板４２からなるバックライトユニットを設けたものである。導光板４４は、おおよそ第２の基板５の全面に対して相対峙して設けられている。光源部４３は、導光板４４の周縁の一部に沿って設けられている。
【００８７】
また、光学部材３７の凹部４８を除く平坦な部分は、透明アクリル樹脂からなる接着部材３８により第２の基板５に接着されている。これによって、バックライトユニットから出射し、反射板２５の反射部で反射された光をバックライトユニット側に有効に戻すことができる。また、上偏光板３１と第１の基板１との間に、位相差板３２が設けられている。
【００８８】
さらに、特に図示しないが、導光板４４と光学部材３７の間には、光学部材３７側より、表面にプリズム状の凹凸を有する２枚のプリズムシートが、プリズムの溝を互いに直交させる向きで重ねられ、かつプリズム面を第２の基板５側に向けるように配置されている。これによって、バックライトユニットから光学部材３７に入射する光の角度が限定されるので、光学部材３７による反射板２５の開口部２２への集光効率が向上する。
【００８９】
また、実施の形態６では、プリズムシートと光学部材３７の凹部４８により、光の角度依存を持たせることができるので、特に大きな拡散性を持たせる必要はないが、第１の基板１と位相差板３２は、拡散層となる拡散糊により接着されている。あるいは、上偏光板３１と位相差板３２を拡散糊で接着してもよい。その他の構成は、実施の形態５と同じである。
【００９０】
実施の形態７．
図９は、実施の形態７の液晶表示装置の構成を示す断面図であり、図１の切断線Ａ−Ａに相当する切断面の構成を示している。実施の形態７は、実施の形態５において、光学部材３７を透明アクリル樹脂等の透明樹脂からなる接着部材３８により第２の基板５に接着するとともに、その接着部材３８の、光学部材３７の凹部４８と重なる領域を、拡散部材４０を混入させて拡散層としたものである。この拡散部材４０は、光学部材３７の凹部４８を通る光をわずかに拡散させて内在型の部分偏光部材３６に出射させるために設けられている。
【００９１】
このように、部分的に拡散性を有する接着部材３８を介して第２の基板５に光学部材３７を接着するには、例えば以下のようにすればよい。まず、透明アクリル樹脂と、これと屈折率の異なる例えばスチレン製のプラスチックボールを混ぜ合わせ、それを第２の基板５の接着面の、部分偏光部材３６と平面的に重なり合う領域、すなわち光学部材３７の凹部４８が相対峙することになる領域に印刷する。次いで、透明アクリル樹脂とプラスチックボールとの混合物の印刷領域以外の領域に、プラスチックボールの混ざっていない透明アクリル樹脂を点状に印刷する。そして、その印刷面に光学部材３７を加圧接着する。
【００９２】
また、第１の基板１の液晶層側の面には、赤、緑および青の各色のカラーフィルター６２，６３，６４が設けられている。これらのカラーフィルター６２，６３，６４は、絶縁膜２９により覆われている。それによって、隣り合うカラーフィルター６２，６３，６４の間が絶縁膜２９により埋められるので、カラーフィルター６２，６３，６４の有無により生じる段差が解消される。従って、絶縁膜２９の表面は平坦になっている。また、カラーフィルター６２，６３，６４の劣化を防ぐことができる。
【００９３】
第１の電極２は、透明導電膜である酸化インジウムスズ（ＩＴＯ）膜でできており、平坦化された絶縁膜２９の表面にストライプ状に形成されている。反射板２５および透過下部電極２６の少なくとも一方は、第１の電極２とストライプの方向が直交するストライプ状電極となっている。この反射板２５または透過下部電極２６のストライプ状電極と第１の電極２のストライプ状電極の交点が画素となり、マトリクス型の液晶表示素子となる。その他の構成は、実施の形態５と同じである。なお、図９においては、第１の電極２を覆う配向膜が省略されている（図１０〜図１３においても同じ）。
【００９４】
実施の形態７では、光学部材３７の平坦な部分と第２の基板５が接着部材３８により接着されていることによって、バックライト４１から出射し、反射板２５の反射部で反射された光をバックライト４１側に有効に戻すことができる。また、第２の基板５を薄くし、接着部材３８における透明アクリル樹脂と拡散部材４０の混合比をアクリル樹脂よりも多めにすることによって、透過表示が明るくなり、また表示の視野角依存性が気にならなくなり、良好な表示が得られる。
【００９５】
なお、接着部材３８を光学部材３７の平坦な領域と凹部４８の領域の２箇所に対して別工程で形成する代わりに、拡散性のある領域と拡散性のない領域を有する透明フィルムを利用してもよい。この場合には、透明フィルムの片面を第２の基板５に薄膜接着部材を用いて接着するとともに、透明フィルムのもう片面を光学部材３７に薄膜接着部材を用いて接着すればよい。
【００９６】
実施の形態８．
図１０は、実施の形態８の液晶表示装置の構成を示す断面図であり、図１の切断線Ａ−Ａに相当する切断面の構成を示している。実施の形態８は、実施の形態７において、各画素ごとに第２の基板５の液晶層側の面に、三端子型の薄膜トランジスター（ＴＦＴ）７７で構成されるスイッチング素子を設けたものである。つまり、実施の形態８の液晶表示装置は、アクティブマトリクス型の装置である。また、光学部材３７と第２の基板５は、その全面で透明樹脂からなる接着部材３８により接着されており、一体化している。ここでは、接着部材３８には、拡散部材４０が混入されていない。
【００９７】
薄膜トランジスター７７は、反射板２５の反射部と平面的に重なる領域、つまり観察者側から見て反射板２５の反射部の真下に設けられており、観察者側からは見えないようになっている。薄膜トランジスター７７は、第２の基板５の液晶層側の面に形成されたゲート電極（図示省略）、そのゲート電極の表面に形成されたゲート絶縁膜（図示省略）、アモルファスシリコン（ａ−Ｓｉ）膜からなる半導体層７１、ソース電極７５およびドレイン電極７６により構成されている。
【００９８】
ドレイン電極７６は、第２の基板５と反射板２５の間に設けられた絶縁膜２４により覆われており、この絶縁膜２４を貫通するコンタクトホール７４を介して透過下部電極２６に電気的に接続されている。液晶の駆動時には、薄膜トランジスター７７のゲート電極とソース電極７５に所定の信号が印加される。そして、反射板２５および透過下部電極２６と第１の電極２との間に信号が印加されることにより、液晶層１８に電圧が印加される。それによって、光学変化が制御され、所望の表示が行われる。その他の構成は、実施の形態７と同じである。なお、スイッチング素子として、二端子型の薄膜ダイオード（ＴＦＤ）を用いてもよい。
【００９９】
実施の形態９．
図１１は、実施の形態９の液晶表示装置の構成を示す断面図であり、図１の切断線Ａ−Ａに相当する切断面の構成を示している。実施の形態９は、各画素ごとにスイッチング素子を有するアクティブマトリクス型の第１の液晶表示素子１０１と、パッシブマトリクス型の第２の液晶表示素子１０２を、単一のバックライトユニットを挟むように配置したものである。つまり、第１の液晶表示素子１０１と第２の液晶表示素子１０２は、バックライトユニットを共有している。第１の液晶表示素子１０１および第２の液晶表示素子１０２のいずれも、内在型の部分偏光部材３６を備えている。
【０１００】
第１の液晶表示素子１０１は、例えば実施の形態８の液晶表示装置のバックライトユニットを除く構成とほぼ同じ構成である。ただし、第１の液晶表示素子１０１では、第２の基板５とバックライトユニットの間に光学部材３７が設けられていない。第１の液晶表示素子１０１のその他の構成は、実施の形態８の液晶表示装置と同じである。
【０１０１】
また、第２の液晶表示素子１０２は、例えば実施の形態２の液晶表示装置のバックライトユニットを除く構成とほぼ同じ構成である。ただし、第２の液晶表示素子１０２では、第１のカラーフィルター６１，６２，６３と第２のカラーフィルター６５が設けられていない。そして、第２の液晶表示素子１０２では、反射板２１の反射部と開口部２２を覆う絶縁膜２３の表面は平坦である。第２の液晶表示素子１０２のその他の構成は、実施の形態２の液晶表示装置と同じである。
【０１０２】
ここで、説明の便宜上、第２の液晶表示素子１０２では、実施の形態２の液晶表示装置の第１の基板１、第２の基板５、第１の電極２および第２の電極６をそれぞれ第３の基板８１、第４の基板８５、第３の電極（図９では省略されている）および第４の電極８６と読み替える。また、バックライトユニットとして、例えば実施の形態６と同様の光源部４３と導光板４４からなるユニットが用いられている。
【０１０３】
第２の液晶表示素子１０２では、第４の基板８５がバックライトユニット側に配置されている。第１の液晶表示素子１０１では、第２の基板５がバックライトユニット側に配置されている。つまり、第１の液晶表示素子１０１と第２の液晶表示素子１０２は、第２の基板５がバックライトユニットの導光板４４の表面に相対峙し、かつ第４の基板８５がバックライトユニットの導光板４４の裏面に相対峙するように配置されている。そして、導光板４４から発せられた光を第１の液晶表示素子１０１と第２の液晶表示素子１０２の両方に入射させるため、導光板４４の表面および裏面のいずれにもバックライト反射板が設けられていない。
【０１０４】
実施の形態９では、第１の液晶表示素子１０１の反射板２５の反射部が第２の液晶表示素子１０２に対するバックライト反射板として機能している。同様に、第２の液晶表示素子１０２の反射板２１の反射部が第１の液晶表示素子１０１に対するバックライト反射板として機能している。ただし、特に限定しないが、図１１に示す例では、第２の液晶表示素子１０２の表示面積が第１の液晶表示素子１０１の表示面積よりも小さくなっているため、第２の液晶表示素子１０２の反射板２１がバックライト反射板として有効であるのは、第１の液晶表示素子１０１の表示面積の一部に対してだけである。
【０１０５】
これを補うため、導光板４４の裏面（第２の液晶表示素子１０２側の面）の一部に反射膜９４が設けられている。反射膜９４は、第２の液晶表示素子１０２の反射板２１が設けられていない領域で、第１の液晶表示素子１０１の表示領域においてその外周部分に相当する領域に配置されている。反射膜９４の上には、第２の液晶表示素子１０２の反射板２１の反射部と開口部２２の面積比率で反射率を制限する印刷層（図示省略）が設けられており、第２の液晶表示素子１０２の表示領域での反射率と反射膜９４での反射率が同じになっている。これによって、第２の液晶表示素子１０２側から第１の液晶表示素子１０１に均一な光が入射される。
【０１０６】
反射膜９４と第２の液晶表示素子１０２の反射板２１との間には、第２の液晶表示素子１０２の第４の基板８５の厚さ分だけ段差がある。そのため、反射膜９４は、第２の液晶表示素子１０２の反射板２１の配置位置まで張り出しており、反射膜９４の縁が反射板２１の縁と平面的に重なり合うようになっている。このような事情より、好ましくは第４の基板８５が薄いとよい。例えば、第４の基板８５として、厚さ０．３ｍｍのガラスを用いるのが適当である。なお、図１１では、図が繁雑になるのを避けるため、第２の液晶表示素子１０２の絶縁膜２３および第４の電極８６を覆う配向膜が省略されている。
【０１０７】
実施の形態９では、導光板４４の表面側から発せられた光のうちの一部は、第１の液晶表示素子１０１の反射板２５の開口部を通って第１の透過光５５として、第１の液晶表示素子１０１を観察する観察者側に出射する。導光板４４の表面側から発せられた光のうちの残りは、第１の液晶表示素子１０１の反射板２５の反射部で反射されて導光板４４側に戻る。導光板４４側に戻った光のうちの一部は、反射膜９４で反射され、導光板４４を透過して第１の液晶表示素子１０１に入射する。導光板４４側に戻った光のうちの残りは、導光板４４を透過して第２の液晶表示素子１０２に入射する。
【０１０８】
この第２の液晶表示素子１０２に入射した光のうちの一部は、第２の液晶表示素子１０２の反射板２１の開口部２２を通って第２の液晶表示素子１０２を観察する観察者側に出射する。第２の液晶表示素子１０２に入射した光のうちの残りは、第２の液晶表示素子１０２の反射板２１の反射部で反射されて再び導光板４４側に戻り、導光板４４を透過して第１の液晶表示素子１０１に入射する。
【０１０９】
そして、反射膜９４または第２の液晶表示素子１０２の反射板２１で反射されて第１の液晶表示素子１０１に入射した光のうち、反射板２５の開口部に入射した光は、第２の透過光５６として、第１の液晶表示素子１０１を観察する観察者側に出射する。一方、反射板２５の開口部に入射しなかった光は、反射板２５の反射部で反射され、この反射板２５と反射膜９４または第２の液晶表示素子１０２の反射板２１との間の反射を繰り返し、やがて第１の液晶表示素子１０１の反射板２５の開口部または第２の液晶表示素子１０２の反射板２１の開口部２２を通って、それぞれの観察者側に出射する。
【０１１０】
また、導光板４４の裏面側から発せられた光のうちの一部は、第２の液晶表示素子１０２の反射板２１の開口部２２を通って透過光５４として、第２の液晶表示素子１０２を観察する観察者側に出射する。導光板４４の裏面側から発せられた光のうちの残りは、第２の液晶表示素子１０２の反射板２１の反射部で反射されて導光板４４側に戻り、導光板４４を透過して第１の液晶表示素子１０１に入射する。
【０１１１】
この第１の液晶表示素子１０１に入射した光のうちの一部は、第１の液晶表示素子１０１の反射板２５の開口部を通って第１の液晶表示素子１０１を観察する観察者側に出射する。第１の液晶表示素子１０１に入射した光のうちの残りは、第１の液晶表示素子１０１の反射板２５の反射部で反射されて再び導光板４４側に戻る。導光板４４側に戻った光のうちの一部は、反射膜９４で反射され、導光板４４を透過して第１の液晶表示素子１０１に入射する。導光板４４側に戻った光のうちの残りは、導光板４４を透過して第２の液晶表示素子１０２に入射する。
【０１１２】
第２の液晶表示素子１０２に入射した光のうち、反射板２１の開口部２２に入射した光は、第２の液晶表示素子１０２を観察する観察者側に出射する。反射板２１の開口部２２に入射しなかった光は、反射板２１の反射部で反射され、この反射板２１と第１の液晶表示素子１０１の反射板２５と反射膜９４との間の反射を繰り返し、やがて第１の液晶表示素子１０１の反射板２５の開口部または第２の液晶表示素子１０２の反射板２１の開口部２２を通って、それぞれの観察者側に出射する。このように、導光板４４から発せられた光は、何度か反射と拡散を繰り返して、第１の液晶表示素子１０１および第２の液晶表示素子１０２をそれぞれ観察する観察者側に効率よく出射する。従って、第１の液晶表示素子１０１および第２の液晶表示素子１０２のいずれにおいても、明るい表示が得られる。
【０１１３】
ここで、第１の液晶表示素子１０１は、第２の液晶表示素子１０２よりも大きな表示領域を有している。また、アクティブマトリクス型の採用により、第１の液晶表示素子１０１の表示情報量は、第２の液晶表示素子１０２の表示情報量よりも多い。従って、第２の液晶表示素子１０２の表示を第１の液晶表示素子１０１の表示よりも暗くし、その分、第１の液晶表示素子１０１の表示を明るくすることも可能である。
【０１１４】
この場合には、導光板４４の裏面の反射膜９４に代えて、一方の偏光軸が透過偏光軸であり、この透過偏光軸と直交する偏光軸が反射偏光軸である反射型偏光板を用いることができる。そうすれば、第１の液晶表示素子１０１を観察している観察者に、第２の液晶表示素子１０２の輪郭や状況が見えてしまうのを防ぐことができる。また、第１の液晶表示素子１０１の表示を明るくすることができる。このように、反射型偏光板を配置する場合には、その反射型偏光板の透過偏光軸と、反射板２１の開口部２２に配置される部分偏光部材３６の透過偏光軸とをほぼ平行にするのが好ましい。
【０１１５】
なお、実施の形態８のように、第１の液晶表示素子１０１とバックライトユニットの間や、第２の液晶表示素子１０２とバックライトユニットの間に、光学部材３７を設けてもよい。このようにすれば、光の集光により、より明るい透過表示が得られる。また、第２の液晶表示素子１０２としてアクティブマトリクス型の液晶表示素子を用いても同様の効果が得られる。さらに、第１の液晶表示素子１０１としてパッシブマトリクス型の液晶表示素子を用いても同様の効果が得られる。
【０１１６】
実施の形態１０．
図１２は、実施の形態１０の液晶表示装置の構成を示す断面図であり、図１の切断線Ａ−Ａに相当する切断面の構成を示している。実施の形態１０は、実施の形態４において、第１の基板１の液晶層側の面に内在型の部分偏光部材１３６を設けたものである。この部分偏光部材１３６は、反射板２５の開口部２２と平面的に重なり合う領域に配置されている。部分偏光部材１３６は、反射板２５の反射部と平面的に重なり合う領域には設けられない。従って、第１の基板１側の部分偏光部材１３６と第２の基板５側の部分偏光部材３６は、平面的に重なり合っている。
【０１１７】
部分偏光部材１３６は、部分偏光部材１３６の劣化を防ぐための保護用の絶縁膜１２９により覆われている。それによって、隣り合う部分偏光部材１３６の間が絶縁膜１２９により埋められるので、部分偏光部材１３６の有無により生じる段差が解消される。従って、絶縁膜１２９の表面は平坦になっている。第１の電極２は、この絶縁膜１２９の表面に設けられている。第１の電極２は、図示省略した配向膜により覆われている。その他の構成は、実施の形態４と同じである。
【０１１８】
実施の形態１０によれば、反射板２５の開口部２２を通る透過光５５，５６は、その開口部２２に配置された部分偏光部材３６を通り、さらにもう一つの部分偏光部材１３６および偏光板３１を通って観察者側に出射する。部分偏光部材１３６と偏光板３１とは、それぞれの偏光軸方向が一致しているので、その出射光の偏光度が大きくなる。従って、実施の形態４よりもコントラストの高い透過表示が得られる。また、外部から入射した入射光５１が反射板２５の反射部で反射して反射光５２として観察者側に出射する際に、第１の基板１側の部分偏光部材１３６を通らないので、明るい反射表示が得られる。
【０１１９】
実施の形態１１．
図１３は、実施の形態１１の液晶表示装置の構成を示す断面図であり、図１の切断線Ａ−Ａに相当する切断面の構成を示している。実施の形態１１は、実施の形態１０において、上偏光板３１を内在型として第１の基板１の液晶層側の面に設けたものである。第１の基板１側の部分偏光部材１３６は、上偏光板３１の表面に設けられる。その他の構成は、実施の形態１０と同じである。
【０１２０】
実施の形態１１によれば、実施の形態１０と同様に、高いコントラストの透過表示と明るい反射表示が得られる。また、上偏光板３１が内在型であるので、信頼性が向上する。
【０１２１】
実施の形態１２．
図１４は、実施の形態１２の液晶表示装置の構成を示す断面図であり、図１の切断線Ａ−Ａに相当する切断面の構成を示している。実施の形態１２は、第２の基板５の液晶層側の面の、反射板２１の開口部２２と平面的に重なり合う領域に内在型の部分偏光部材３６を設けたものである。部分偏光部材３６は、保護用の絶縁膜１２３により覆われている。
【０１２２】
絶縁膜１２３は、隣り合う部分偏光部材３６の間を埋め、部分偏光部材３６の有無により生じる段差を解消している。従って、絶縁膜１２３の表面は平坦になっており、その平坦面の上に平坦な反射板２１が設けられている。反射板２１の開口部２２には、透過下部電極２６が設けられている。透過下部電極２６は、反射板２１に電気的に接続されている。なお、図１４においては、絶縁膜１２３、反射板２１および透過下部電極２６を覆う配向膜が省略されている。
【０１２３】
第１の基板１の液晶層側の面には、カラーフィルター１６１が設けられている。カラーフィルター１６１には開口部１６６が設けられている。反射板２１の開口部２２と平面的に重なる領域には、カラーフィルター１６１の、開口部１６６を除く着色部が配置されている。反射板２１の反射部と平面的に重なる領域には、カラーフィルター１６１の開口部１６６と着色部が配置されている。つまり、部分偏光部材３６とカラーフィルター１６１の着色部は、平面的に重なる。一方、カラーフィルター１６１の開口部１６６は、部分偏光部材３６と平面的に重ならない。
【０１２４】
カラーフィルター１６１は、カラーフィルター１６１の劣化を防ぐための保護用の絶縁膜２９により覆われている。第１の電極２は、この絶縁膜２９の平坦な表面に設けられている。第１の電極２は、図示省略した配向膜により覆われている。また、第１の基板１の、液晶層１８と反対側の面には、位相差板３２が設けられている。位相差板３２は、光の散乱性を付与するため、拡散層１３３となる拡散糊により接着されている。位相差板３２の表面には、上偏光板３１が設けられている。
【０１２５】
また、バックライトユニットとして、例えば有機ＥＬバックライト１４１が用いられている。このような構成とすることによって、有機ＥＬバックライト１４１の拡散による光の損失が防止されている。従って、有機ＥＬバックライト１４１から発せられた光が観察者側へ出射する際の効率が向上する。
【０１２６】
実施の形態１２では、透過表示の場合の透過光５５，５６は、カラーフィルター１６１の着色部を通って観察者側に出射するので、その着色部の色を濃くしておくことによって、色の濃い表示が得られる。一方、反射表示の場合には、入射光５１の一部は、カラーフィルター１６１の着色部を通って観察者側に出射する。入射光５１の残りは、カラーフィルター１６１の着色部を通らずに、開口部１６６を通って観察者側に出射するので、明るい表示が得られる。なお、第１の基板１と第２の基板５の間に内在型の位相差板を設ける構成と組み合わせてもよい。
【０１２７】
実施の形態１３．
図１５は、実施の形態１３の液晶表示装置の構成を示す断面図であり、図１の切断線Ａ−Ａに相当する切断面の構成を示している。実施の形態１３は、実施の形態４において、絶縁膜２４、反射板２５および透過下部電極２６が絶縁膜１２４により覆われており、その絶縁膜１２４の平坦な表面に内在型の部分位相差板１３４を設けたものである。この部分位相差板１３４には開口部１３９が設けられている。
【０１２８】
部分位相差板１３４は、その開口部１３９と反射板２５の開口部２２が平面的に重なり合い、かつ開口部１３９以外の部分と反射板２５の反射部が平面的に重なり合うように配置されている。その他の構成は、実施の形態４と同じである。なお、図１５においては、第１の基板１側と第２の基板５側の各配向膜が省略されている（図１６〜図２１においても同じ）。
【０１２９】
部分位相差板１３４を形成するにあたっては、次のようにすればよい。例えば、絶縁膜１２４の表面に、液晶性モノマーであるＵＶキュアラブル液晶ＵＣＬ−００８−Ｋ１（商品名、大日本インキ化学工業株式会社製）の溶液を塗布した後、乾燥させ、徐冷して液晶性モノマーを配向させる。次いで、アルカリ性現像液を用いて現像処理を行って所望の形状にパターニングし、液晶性ポリマーよりなる部分位相差板１３４を形成する。
【０１３０】
あるいは、次のようなプロセスで部分位相差板１３４を形成してもよい。例えばＰＬＣ−７０２３（商品名、旭電化工業株式会社製）の８％溶液をインクジェット方式により絶縁膜１２４上に印刷し、８０℃で焼成した後、１７０℃以上に再加熱し、徐冷して液晶性ポリマーを配向させる。この液晶性ポリマーが部分位相差板１３４として機能する。インクジェット方式を採用することによって、部分位相差板１３４のパターンを直接形成することができる。
【０１３１】
実施の形態１３では、透過表示の場合、透過光５５，５６は、部分偏光部材３６、液晶層１８および上偏光板３１の順に通って観察者側に出射にする。それに対して、反射表示の場合には、外部からの入射光５１は、上偏光板３１、液晶層１８および部分位相差板１３４の順に通って反射板２５の反射部で反射し、部分位相差板１３４、液晶層１８および上偏光板３１の順に通って観察者側に出射にする。その際、例えば液晶層１８と部分位相差板１３４でそれぞれλ／４ずつ位相差が生じるので、合計でλ／２の位相差を生じさせることができる。このようにすると、部分位相差板１３４を設けずに、液晶層１８だけでλ／２の位相差を生じさせる構成に比べて、より明るい明表示とより暗い暗表示が得られる。従って、コントラストの高い反射表示が得られる。
【０１３２】
実施の形態１４．
図１６は、実施の形態１４の液晶表示装置の構成を示す断面図であり、図１の切断線Ａ−Ａに相当する切断面の構成を示している。実施の形態１４は、実施の形態１３において、部分位相差板１３４を第１の電極２の表面に設けたものである。その他の構成は、実施の形態１３と同じである。
【０１３３】
実施の形態１４では、透過表示の場合の透過光５５，５６の光路は、実施の形態１３と同様である。反射表示の場合には、外部からの入射光５１は、上偏光板３１、部分位相差板１３４および液晶層１８の順に通って反射板２５の反射部で反射し、液晶層１８、部分位相差板１３４および上偏光板３１の順に通って観察者側に出射にする。このような構成でも、部分位相差板１３４を設けない構成に比べて、コントラストの高い反射表示が得られる。
【０１３４】
実施の形態１５．
図１７は、実施の形態１５の液晶表示装置の構成を示す断面図であり、図１の切断線Ａ−Ａに相当する切断面の構成を示している。実施の形態１５は、実施の形態１３において、第１の電極２と上偏光板３１の間に部分位相差板１３４を設けたものである。部分位相差板１３４の開口部１３９および部分位相差板１３４の周囲は絶縁膜１３０により埋められている。その他の構成は、実施の形態１３と同じである。
【０１３５】
実施の形態１５では、透過表示の場合の透過光５５，５６の光路は、実施の形態１３と同様である。反射表示の場合には、外部からの入射光５１は、上偏光板３１、部分位相差板１３４および液晶層１８の順に通って反射板２５の反射部で反射し、液晶層１８、部分位相差板１３４および上偏光板３１の順に通って観察者側に出射する。このような構成でも、部分位相差板１３４を設けない構成に比べて、コントラストの高い反射表示が得られる。
【０１３６】
実施の形態１６．
図１８は、実施の形態１６の液晶表示装置の構成を示す断面図であり、図１の切断線Ａ−Ａに相当する切断面の構成を示している。実施の形態１６は、実施の形態１３において、反射板２５の表面に部分位相差板１３４を設けたものである。反射板２５を覆う絶縁膜１２４は設けられていない。その他の構成は、実施の形態１３と同じである。
【０１３７】
実施の形態１６では、透過表示の場合の透過光５５，５６の光路は、実施の形態１３と同様である。反射表示の場合の入射光５１および反射光５２の光路は、実施の形態１３と同様である。このような構成でも、部分位相差板１３４を設けない構成に比べて、コントラストの高い反射表示が得られる。
【０１３８】
実施の形態１７．
図１９は、実施の形態１７の液晶表示装置の構成を示す断面図であり、図１の切断線Ａ−Ａに相当する切断面の構成を示している。実施の形態１７は、実施の形態１３において、第１の基板１と第１の電極２の間に部分位相差板１３４を設けたものである。部分位相差板１３４の開口部１３９および部分位相差板１３４の周囲は保護用の絶縁膜１２９により埋められている。反射板２５を覆う絶縁膜１２４は設けられていない。その他の構成は、実施の形態１３と同じである。
【０１３９】
実施の形態１７では、透過表示の場合の透過光５５，５６の光路は、実施の形態１３と同様である。反射表示の場合には、外部からの入射光５１は、上偏光板３１、部分位相差板１３４および液晶層１８の順に通って反射板２５の反射部で反射し、液晶層１８、部分位相差板１３４および上偏光板３１の順に通って観察者側に出射にする。このような構成でも、部分位相差板１３４を設けない構成に比べて、コントラストの高い反射表示が得られる。
【０１４０】
実施の形態１８．
図２０は、実施の形態１８の液晶表示装置の構成を示す断面図であり、図１の切断線Ａ−Ａに相当する切断面の構成を示している。実施の形態１８は、実施の形態１３において、各画素ごとに薄膜トランジスターで構成されるスイッチング素子を有するアクティブマトリクス型の構成とするとともに、反射板２５の表面に部分位相差板１３４を設けたものである。薄膜トランジスターは絶縁膜１３１により覆われており、その絶縁膜１３１の表面に部分偏光部材３６が設けられている。
【０１４１】
これは、液晶表示素子の製造プロセスにおいて、薄膜トランジスターを作製し、その上に絶縁膜１３１を積層した後に部分偏光部材３６を形成することによって、薄膜トランジスターを作製する際の高温プロセスによって部分偏光部材３６が劣化するのを防ぐためである。部分偏光部材３６は、表面に反射板２５が積層された絶縁膜２４により覆われている。従って、部分偏光部材３６は、絶縁膜１３１と絶縁膜２４により保護されていることになる。
【０１４２】
また、実施の形態１８では、部分位相差板１３４は反射板２５の表面に設けられている。さらに、第１の基板１と第１の電極２の間には、絶縁膜２９により保護されたカラーフィルター１６１が設けられている。その他の構成は、実施の形態１３と同じである。なお、薄膜トランジスターの構成および液晶表示素子の第２の基板５側の電極との接続構造等については、実施の形態８で説明した通りである。
【０１４３】
実施の形態１８では、透過表示の場合、透過光５５，５６は、部分偏光部材３６、液晶層１８、カラーフィルター１６１および上偏光板３１の順に通って観察者側に出射にする。それに対して、反射表示の場合には、外部からの入射光５１は、上偏光板３１、カラーフィルター１６１、液晶層１８および部分位相差板１３４の順に通って反射板２５の反射部で反射し、部分位相差板１３４、液晶層１８、カラーフィルター１６１および上偏光板３１の順に通って観察者側に出射にする。このような構成でも、部分位相差板１３４を設けない構成に比べて、コントラストの高い反射表示が得られる。
【０１４４】
実施の形態１９．
図２１は、実施の形態１９の液晶表示装置の構成を示す断面図であり、図１の切断線Ａ−Ａに相当する切断面の構成を示している。実施の形態１９は、実施の形態１８の凹凸状の表面の絶縁膜２４とその表面に設けられた反射板２５に代えて、表面が平坦な反射板２１を用いたものである。従って、部分位相差板１３４は、反射板２１の表面に設けられている。また、部分偏光部材３６は、薄膜トランジスターを覆う絶縁膜１３１と反射板２１により保護されている。さらに、上偏光板３１は、第１の基板１に拡散層１３３となる拡散糊により接着されている。その他の構成は、実施の形態１８と同じである。
【０１４５】
実施の形態１９では、透過表示の場合の透過光５５，５６の光路は、実施の形態１８と同様である。反射表示の場合には、外部からの入射光５１は、上偏光板３１、カラーフィルター１６１、液晶層１８および部分位相差板１３４の順に通って反射板２１の反射部で反射し、部分位相差板１３４、液晶層１８、カラーフィルター１６１および上偏光板３１の順に通って観察者側に出射にする。このような構成でも、部分位相差板１３４を設けない構成に比べて、コントラストの高い反射表示が得られる。
【０１４６】
以上において本発明は、上述した各実施の形態に限らず、種々変更可能である。例えば、いずれの実施の形態もパッシブマトリクス型の液晶表示素子に適用可能であり、また、アクティブマトリクス型の液晶表示素子にも適用可能である。
【産業上の利用可能性】
【０１４７】
以上のように、本発明にかかる液晶表示装置は、反射型と透過型のいずれにも利用可能な液晶表示装置に有用であり、特に、携帯電話等の携帯機器に用いられる液晶表示装置に適している。
【図面の簡単な説明】
【０１４８】
【図１】実施の形態１の液晶表示装置の構成を示す平面図である。
【図２】実施の形態１の液晶表示装置の構成を示す断面図である。
【図３】グリッド型の偏光部材の構成を示す平面図である。
【図４】実施の形態２の液晶表示装置の構成を示す断面図である。
【図５】実施の形態３の液晶表示装置の構成を示す断面図である。
【図６】実施の形態４の液晶表示装置の構成を示す断面図である。
【図７】実施の形態５の液晶表示装置の構成を示す断面図である。
【図８】実施の形態６の液晶表示装置の構成を示す断面図である。
【図９】実施の形態７の液晶表示装置の構成を示す断面図である。
【図１０】実施の形態８の液晶表示装置の構成を示す断面図である。
【図１１】実施の形態９の液晶表示装置の構成を示す断面図である。
【図１２】実施の形態１０の液晶表示装置の構成を示す断面図である。
【図１３】実施の形態１１の液晶表示装置の構成を示す断面図である。
【図１４】実施の形態１２の液晶表示装置の構成を示す断面図である。
【図１５】実施の形態１３の液晶表示装置の構成を示す断面図である。
【図１６】実施の形態１４の液晶表示装置の構成を示す断面図である。
【図１７】実施の形態１５の液晶表示装置の構成を示す断面図である。
【図１８】実施の形態１６の液晶表示装置の構成を示す断面図である。
【図１９】実施の形態１７の液晶表示装置の構成を示す断面図である。
【図２０】実施の形態１８の液晶表示装置の構成を示す断面図である。
【図２１】実施の形態１９の液晶表示装置の構成を示す断面図である。
【図２２】従来の液晶表示装置の構成を示す断面図である。
【符号の説明】
【０１４９】
１  第１の基板
２  第１の電極
５  第２の基板
６  第２の電極
１８  液晶層
２１  反射板、第２の反射板
２２  反射板の開口部
２５  反射板
２６  透過下部電極
３５  部分偏光部材
３６  部分偏光部材、第３の部分偏光部材
３７  光学部材
３８  接着部材（拡散層）
４０  拡散部材
４１，４３，４４，１４１  補助光源
４２，９４  補助光源の反射部材
７７  スイッチング素子
８１  第３の基板
８５  第４の基板
８６  第４の電極
１０１  第１の液晶表示素子
１０２  第２の液晶表示素子
１３４  部分位相差板
１３６  第２の部分偏光部材
１６１  カラーフィルター
１６６  カラーフィルターの開口部
【図１】
0004636886.tif 000002
【図２】
0004636886.tif 000003
【図３】
0004636886.tif 000004
【図４】
0004636886.tif 000005
【図５】
0004636886.tif 000006
【図６】
0004636886.tif 000007
【図７】
0004636886.tif 000008
【図８】
0004636886.tif 000009
【図９】
0004636886.tif 000010
【図１０】
0004636886.tif 000011
【図１１】
0004636886.tif 000012
【図１２】
0004636886.tif 000013
【図１３】
0004636886.tif 000014
【図１４】
0004636886.tif 000015
【図１５】
0004636886.tif 000016
【図１６】
0004636886.tif 000017
【図１７】
0004636886.tif 000018
【図１８】
0004636886.tif 000019
【図１９】
0004636886.tif 000020
【図２０】
0004636886.tif 000021
【図２１】
0004636886.tif 000022
【図２２】
0004636886.tif 000023